(57)【要約】【課題】  荷籠を取付けた荷籠取付け装置を自転車の荷台に簡単に着脱する。【解決手段】  荷籠Ａを取付ける荷籠取付け部３と下面端部に荷台Ｂに掛止する第１掛止部４を備えた固定側取付け台１と、前記固定側取付け台に対向して移動可能に備え、かつ下面端部に荷台Ｂに掛止する第２掛止部５を備えた可動側取付け台２と、 前記固定側取付け台と可動側取付け台には、操作手段７と、該操作手段７により可動側取付け台を固定側取付け台に対して接近又は離反方向に摺動可能であり、前記操作手段で固定側取付け台と可動側取付け台とを締付け可能である取付け台締付け構造８とを備えたことを特徴とする自転車等の荷台用着脱式荷籠取付け装置。【選択図】    図 １
2006088795.tif 000002
【特許請求の範囲】
【請求項１】
上面に荷籠を取付ける荷籠取付け部と下面端部に荷台に掛止する第１掛止部を備えた固定側取付け台と、
前記固定側取付け台に対向して移動可能に備え、かつ下面端部に荷台に掛止する第２掛止部を備えた可動側取付け台と、
前記固定側取付け台と可動側取付け台には、操作手段と、該操作手段により可動側取付け台を固定側取付け台に対して接近又は離反方向に摺動可能であり、かつ固定側取付け台と可動側取付け台とを締付け可能である取付け台締付け構造と、
を備えたことを特徴とする自転車等の荷台用着脱式荷籠取付け装置。
【請求項２】
前記固定側取付け台と前記可動側取付け台との取付け台締付け構造は、
固定側取付け台に回転方向に自由で軸方向に固定的に備え、かつ操作部と螺子部を設けた作動軸を有する操作手段と、
前記可動側取付け台には、前記操作手段の螺子部を螺合して操作手段の回転運動を進退運動に変換させるとともに該可動側取付け台と協動可能に設けた進退手段と、
前記操作手段の固定側取付け台と可動側取付け台間に装着した付勢手段と、
を備えたものである請求項１に記載の自転車等の荷台用着脱式荷籠取付け装置。
【請求項３】
前記固定側取付け台と前記可動側取付け台との取付け台締付け構造は、
操作部と螺子部を設けた作動軸を有する操作手段と、
前記固定側取付け台に設けられ、前記操作手段を回転方向に自由に軸支しかつ軸方向の移動を受止める第１支持板と、
前記可動側取付け台に設けられ、前記操作手段の作動軸を前記第１支持板と同一軸線に軸支する第２支持板と、
該第２支持板と同一軸線に前記可動側取付け台に回転方向に固定的に設けられかつ軸方向に協動可能に設けられ、前記作動軸の螺子部を螺合する螺合部材と、
前記操作手段の前記第１支持板と第２支持板間に装着した付勢手段と、
を備えたものである請求項１または２に記載の自転車等の荷台用着脱式荷籠取付け装置。
【請求項４】
前記固定側取付け台には、該取付け台に対して移動させる前記可動側取付け台をガイドするための１又は複数のガイド手段を設けた請求項１ないし３のいずれかに記載の自転車等の荷台用着脱式荷籠取付け装置。
【発明の詳細な説明】
【技術分野】
【０００１】
この発明は、自転車、手押し車等の荷台に荷籠付き取付け台を簡単に着脱可能とした自転車等の荷台用着脱式荷籠取付け装置に関する。
【背景技術】
【０００２】
従来この種の自転車用荷籠取付け装置として、自転車の荷台側に取付け台を固定しておき、その取付け台に対して荷籠を取外し可能とした構造のものとして、自転車等の荷台への容器取付け装置で、容器底部に複数本の係止突起を突設し、自転車等の荷台に取付けられかつ前記容器を載置する容器取付け板体には、前記係止突起の嵌入する穴と係止突起の被係合部を設け、取付け板体の穴に係止突起を嵌入させ被係合部に係合させ、係止手段で係合解除方向に移動するのを阻止する構造が公知である（特許文献１参照）。また、収納部材取付け装置及び収納部材付き自転車で、自転車に取付けられる収納部材台と、収納部材側に設けられる被取付け体とを備え、収納部材台に被取付け体を介して収納部材を載置固定するようにして、被取付け体に、嵌合凸部が設けられ、収納部材台に嵌合凸部が着脱自在に嵌合する嵌合孔が設けられ、嵌合凸部を嵌合孔に嵌合した状態にロックするロック部材が設けられたもの（特許文献２参照）等が提案されている。
【０００３】
【特許文献１】実開昭５１−５７４５６号公報
【特許文献２】特開２００３−１３７１５７号公報
【発明の開示】
【発明が解決しようとする課題】
【０００４】
前記特許文献１の容器取付け装置では、自転車の荷台に取付け台を取付け、また、特許文献２の収納部材取付け装置でも、自転車の荷台に収納部材台が取付けられるもので、容器、収納部材を取外すと、自転車の荷台に取付け台、収納部材台が残されることになる。従って、容器、収納部材を外したままで、自転車を使用する場合に、取付け台、収納部材台が荷台に取付けたままとなるので体裁が悪く、荷台に子供等を載せる時に邪魔となるなど問題となっている。
この発明は、前記問題を解決するために、荷籠を取付ける取付け装置を自転車の荷台に簡単に着脱可能として、荷籠を使用しないときには取付け装置ごと取外し可能とした自転車等の荷台用着脱式荷籠取付け装置を提供することを目的としている。
【課題を解決するための手段】
【０００５】
上記課題を解決するこの発明の請求項１の自転車等の荷台用着脱式荷籠取付け装置は、上面に荷籠を取付ける荷籠取付け部と下面端部に荷台に掛止する第１掛止部を備えた固定側取付け台と、前記固定側取付け台に対向して移動可能に備え、かつ下面端部に荷台に掛止する第２掛止部を備えた可動側取付け台と、前記固定側取付け台と可動側取付け台には、操作手段と、該操作手段により可動側取付け台を固定側取付け台に対して接近又は離反方向に摺動可能であり、かつ固定側取付け台と可動側取付け台とを締付け可能である取付け台締付け構造と、を備えたことを特徴とする。
【０００６】
上記のように構成した発明とすることにより、操作手段により固定側取付け台に対して可動側取付け台を離反させ、可動側取付け台と固定側取付け台の対向する第１掛止部と第２掛止部を開いて、荷台に跨がせて嵌め、しかる後操作手段を締め付けて固定側取付け台に対して可動側取付け台を接近させて相対向する第１掛止部と第２掛止部で荷台に挟持させる。
【０００７】
請求項２の発明は、前記固定側取付け台と前記可動側取付け台との取付け台締付け構造は、固定側取付け台に回転方向に自由で軸方向に固定的に備え、かつ操作部と螺子部を設けた作動軸を有する操作手段と、前記可動側取付け台には、前記操作手段の螺子部を螺合して操作手段の回転運動を進退運動に変換させるとともに該可動側取付け台と協動可能に設けた進退手段と、前記操作手段の固定側取付け台と可動側取付け台間に装着した付勢手段と、を備えたものである。
【０００８】
上記のように構成した発明とすることにより、操作手段の作動軸の螺子部の回転で可動側取付け台に備えた進退手段を進退運動させて固定側取付け台に対して可動側取付け台を離反させ、可動側取付け台と固定側取付け台の対向する第１掛止部と第２掛止部を開いて、荷台に跨がせて嵌め、しかる後操作手段を逆に回して締め付けて固定側取付け台に対して可動側取付け台を接近させて相対向する第１掛止部と第２掛止部で荷台に挟持させる。固定側取付け台と可動側取付け台間に付勢手段を装着したので、操作手段を付勢手段に抗して締め付けたとき、固定側と可動側取付け台が緩みを生ずることなく的確に締付け保持できる。
【０００９】
請求項３の発明は、 前記固定側取付け台と前記可動側取付け台との取付け台締付け構造は、操作部と螺子部を設けた作動軸を有する操作手段と、前記固定側取付け台に設けられ、前記操作手段を回転方向に自由に軸支しかつ軸方向の移動を受止める第１支持板と、前記可動側取付け台に設けられ、前記操作手段の作動軸を前記第１支持板と同一軸線に軸支する第２支持板と、該第２支持板と同一軸線に前記可動側取付け台に回転方向に固定的に設けられかつ軸方向に協動可能に設けられ、前記作動軸の螺子部を螺合する螺合部材と、該操作手段の前記第１支持板と第２支持板間に装着した付勢手段と、を備えたものである。
【００１０】
上記のように構成した発明とすることにより、操作手段は固定側取付け台の第１支持板で受止て軸方向に固定的で、回転方向に自由に軸支し、該操作手段の操作部を回して作動軸の螺子部を回転運動させて螺合部材を軸方向に進退運動させ、螺合部材とともに可動側取付け台を固定側取付け台に対して離反させ、可動側取付け台と固定側取付け台の対向する第１掛止部と第２掛止部を開いて、荷台に跨がせて嵌め、しかる後操作手段を逆に回わして締付けて固定側取付け台に対して可動側取付け台を接近させて相対向する第１掛止部と第２掛止部で荷台を挟持させる。第１支持板と第２支持板間に付勢手段を装着したので、操作手段を付勢手段に抗して締め付けたとき、固定側と可動側取付け台が緩みを生ずることなく的確に締付け保持できる。
【００１１】
請求項４の発明は、前記固定側取付け台には、該取付け台に対して移動させる前記可動側取付け台をガイドするための１又は複数のガイド手段を設ける。
上記のように構成した発明とすることにより、可動側取付け台を摺動時、固定側取付け台のガイド手段でガイドして摺動させる。
【発明の効果】
【００１２】
この発明によれば、操作手段を締付け又は緩めることにより固定側取付け台に対して可動側取付け台を接近又は離反させて固定側取付け台の第１掛止部と可動側取付け台の第２掛止部を荷台に簡単に着脱させることができる。従って、荷籠の使用時には荷籠を取付けた取付け装置を荷台に簡単かつ堅固に装着でき、荷籠を使用しない時は、荷籠を取付け装置ごと外すことができるので、自転車の体裁が良く、かつ子供などを荷台に載せることができる。
【００１３】
この発明によれば、取付け台締付け構造は、操作手段の作動軸の螺子部と可動側取付け台に備えた進退手段で軸方向の進退運動をさせ、例えば作動軸の螺子部と螺合部材とを螺合して螺子部の回転で螺合部材を軸方向に進退運動させ、固定側取付け台に対して可動側取付け台を接近又は離反させて固定側取付け台の第１掛止部と可動側取付け台の第２掛止部を荷台に簡単に着脱させて取付け装置を主着又は取外しでき、また、操作手段には固定側取付け台（第１支持板）と可動側取付け台（第２支持板）間に付勢手段を装着して、締付け時に付勢手段の付勢力が働くようにしたので、固定側と可動側取付け台が緩みを生ずることなく的確に締付けできる。
【００１４】
この発明によれば、可動側取付け台を固定側取付け台に対して摺動時、固定側取付け台のガイド手段でガイドして移動させるので、可動側取付け台の接近又は離反を円滑に行うことができる。
【発明を実施するための最良の形態】
【００１５】
以下この発明を実施するための最良の形態について図面を参照して説明する。
図１はこの発明の自転車等の荷台用着脱式荷籠取付け装置を示す平面図、図２は同底面図、図３は同一部破断側面図、図４は同一部破断正面図、図５は固定側と可動側取付け台を接近状態の平面図、図６は同一部破断側面図、図７は自転車の荷台にこの発明の荷台用着脱式荷籠取付け装置の掛止部を開いて置いた状態の平面図、図８は同掛止部を締め付け固定した状態の断面図、図９は同平面図、図１０は同一部破断正面図である。
【００１６】
図７ないし図１０に示すように、Ａは周囲および／または底面に格子状の多数の透孔、網目等を形成した合成樹脂製、金属製等の自転車用荷籠で、底面の前後に形成された据え付け部２５の両側に取付け孔２６が設けられる。この据え付け部２５は後述のこの発明の荷籠取付け装置の荷籠取付け部３が合致する位置に形成される。荷籠をこの発明の荷籠取付け装置の荷籠取付け部３に取り付ける場合には、その荷籠取付け部３の上に荷籠Ａの据え付け部２５を載置し、ボルト２７をその取付け孔２６と荷籠取付け装置の取付け孔３ａに挿入してナット２８で締付け固定してある。荷籠は上記のものに限られるものでなく、底部に据え付け部２５を備えていれば、この発明の荷籠取付け装置の荷籠取付け部３に取付けできる。
Ｂは自転車の荷台で、図ではほぼ長方形に折曲げ形成した外枠３０と、該外枠内にＵ字状に折り曲げた内枠３１とを組み合わせ、その外枠と内枠の下面で前後部に横方向にコ字型の横杆３２が固設されて構成されている。実施形態の自転車の荷台Ｂの外枠３０は前部を幅狭とし後部へ段々と幅広とした形状としてある。前記内枠３１は、先端を自転車のフレームに固定する。３３は該横杆３２の両側と自転車の車輪の車軸とにかける支持脚杆である。この荷台にこの発明の荷台用着脱式荷籠取付け装置を着脱可能に備える。荷台の形状は上記のものに限られるものでなく、従来公知の種々の荷台で、外枠に後述の取付け台の掛止部をかけることができるものであればこの発明の荷台用着脱式荷籠取付け装置を取付けできる。
【００１７】
図１ないし図６において、この発明の自転車等の荷台用着脱式荷籠取付け装置を詳細に説明する。
１は、荷籠Ａを載せる合成樹脂製等固定側取付け台で、断面コ型として板面の上面両側に荷籠Ａを取付ける荷籠取付け部３が形成され、かつ該取付け台の下面の一端部には荷台Ｂの外枠３０に掛止する第１掛止部４が形成されている。２は、合成樹脂製等可動側取付け台で、前記固定側取付け台１に対向して移動可能に備え、一端部下面には、荷台の外枠３０に掛止する第２掛止部５が形成されている。前記第１掛止部４と第２掛止部５は、ほぼ対称な断面鉤型に形成され、荷台の外枠３０の両側に掛止めできるようにする。
前記固定側取付け台１の第１掛止部４と、可動側取付け台１の第２掛止部５には、内面に掛止爪４ａと５ａが形成されている。自転車の荷台Ｂの外枠３０は前部より後部へ幅を若干広げた形状であるから掛止爪４ａと５ａの形状をそれに合わせた形状としてある。すなわち、掛止爪４ａと５ａは、荷台Ｂの外枠３０の幅狭の前部側に掛止める部分は長くし、幅広の後部側に掛止める部分は短く形成し、固定側取付け台１に対して可動側取付け台を締付け時、掛止爪４ａと５ａが荷台Ｂの外枠３０の形状に合致して的確に締付けできるようにしてある。
前記荷籠取付け部３は、断面Ｌ型としてその上面に荷籠Ａを載せるように形成され、その両端に荷籠Ａを固定するためのボルト２７を挿入する取付け孔３ａが設けられ、該荷籠取付け部３に予め荷籠Ａの据え付け部２５の取付け孔２６が合わされてボルト２７、ナット２８等で締付け固定される。前記取付け孔３ａは荷籠Ａの据え付け部２５の取付け孔２６に合わせるために長孔とするのが好ましい。該荷籠取付け部３の高さは、後述の第１、第２の支持板１２、１８等の高さより高くして、荷籠Ａを載せるときにその底面が第１、第２の支持板１２、１８等に当たらないようにする。
【００１８】
前記可動側取付け台２を固定側取付け台１に対向して移動可能にする構造として、固定側取付け台１には、可動側取付け台２と対向する側で、両側の荷籠取付け部３間にコ型に開口部１ａと上面に摺動面１ｃが設けられ、可動側取付け台２は荷籠取付け部３間に挿入できる幅に形成され、可動側取付け台２が固定側取付け台１の開口部１ａの上面を覆うように被せられ、可動側取付け台２の先端部が固定側取付け台１の前記摺動面１ｃに載せられ、固定側取付け台１上に摺動可能に備えられる。前記摺動面１ｃは開口部１ａの内端から所定ストローク可動側取付け台２を摺動可能な面積とする。摺動面１ｃの長さはストロークＬより長くする。固定側取付け台１の固定側取付け台１の摺動面を除く部分と可動側取付け台２には、上面に任意の間隔をおいてリブ１ｂ、２ｂが形成されている。また、前記可動側取付け台２には、固定側取付け台１に対向する側の中央部にコ型の開口２ａが設けられ、その開口２ａの内端でリブ２ｂ間に第２支持板１８が固設されている。この可動側取付け台２の開口２ａは、後述のばね２２が取付け台に当たらないようにするために設けられる。
そして、固定側取付け台１には、前記可動側取付け台２をガイドするための１又は複数のガイド手段６が設けられている。実施形態では、前記ガイド手段６は、前記固定側取付け台１の両側の荷籠取付け部３の内面側上部に固定側取付け台１の板面との間に可動側取付け台２を通す間隔Ｈを存して複数の凸部が突設されている。可動側取付け台２は固定側取付け台１と、その複数の凸部６の間に通されてガイドされるので、上方へ外れることなく、固定側取付け台１に対して円滑に摺動させることができる。
【００１９】
この発明の自転車等の荷台用着脱式荷籠取付け装置は、上面に荷籠Ａを取付ける荷籠取付け部３と下面端部に荷台Ｂに掛止する第１掛止部４を備えた固定側取付け台１と、前記固定側取付け台１に対向して移動可能に備え、かつ下面端部に荷台Ｂに掛止する第２掛止部５を備えた可動側取付け台２と、前記固定側取付け台１と可動側取付け台２には、操作手段７と、該操作手段７により可動側取付け台を固定側取付け台に対して接近又は離反方向に摺動可能であり、かつ固定側取付け台と可動側取付け台とを締付け可能である取付け台締付け構造８とを備える。
【００２０】
操作手段７は可動側取付け台を固定側取付け台に対して接近又は離反させる取付け台締付け構造８を操作するものである。操作手段７は操作部９ａと、先端側に螺合部材１１に螺合しうる螺子部９ｃ有する作動軸９で構成され、この操作手段７の作動軸９は、固定側取付け台に回転方向に回転可能で軸方向に固定的に備えられる。この作動軸９に設ける螺子部９ｃの長さは、少なくとも固定側取付け台１の第１掛止部４と可動側取付け台２の第２掛止部５との幅を荷台の幅より広くする位置から荷台に締め付ける位置までのストロークＬ以上の長さとする。操作手段７を締付け時、固定側取付け台１の第１掛止部４を荷台の一側に当てた状態で、可動側取付け台２の第２掛止部５が荷台の他側に当たるまで軸方向に移動可能とする。
前記基端側の操作部９ａは、円形等手で握りやすい形状の把手部９ａと筒部９ｂが設けられ作動軸９に嵌合固定される。筒状部９ｂの外径は支持孔１３の径より大きくする。操作部９ａの外周には複数の指掛け用凹面を設けるのが好ましい。作動軸９は第１支持板１２の支持孔１３に回転自由に軸支され、かつ固定側取付け台に軸方向に固定的に設けるため、操作部９ａの筒部９ｂと第１支持板１２との間に受止め部材１４、例えばワッシャー、ナット等が設けられる。前記受止め部材１４は操作部９ａの筒部９ｂと別体としたが、筒状部に一体に設けることもできる。或いは、操作部の筒部を直接支持板に当接するようにしてもよい。或いは作動軸に支持孔１３の径より大きい受止め部を設けることも可能である。
前記作動軸９の操作部９ａは固定側取付け台１より外側に突出させ、荷台に荷籠取付け装置を取付け時、操作部９ａを荷籠Ａより外側に突出させて、手で回すことができるようにするのが好ましい。前記作動軸９は先端に螺子部を設けた場合を示したが、これに限られるものではなく、全体を螺杆としても良く、作動軸９を螺杆とした場合には、螺杆に操作部９ａの筒部９ｂを螺合し、受止め部材としてナットを締付け固定してもよい。
【００２１】
前記固定側取付け台と前記可動側取付け台との取付け台締付け構造８は、
固定側取付け台１に回転方向に自由で軸方向に固定的に備え、かつ操作部と螺子部を設けた作動軸を有する操作手段７と、前記可動側取付け台２には、前記操作手段７の螺子部９ｃを螺合して操作手段の回転運動を進退運動に変換させるとともに該可動側取付け台と協動可能に設けた進退手段１０と、前記操作手段の固定側取付け台と可動側取付け台間に装着した付勢手段２２とを備えたもので、前記操作手段７は、固定側取付け台に回転方向に自由に軸支しかつ軸方向の移動を受止め、可動側取付け台に備えた進退手段１０に螺合し、可動側取付け台を付勢手段２２に抗して締付け可能とする。
【００２２】
固定側取付け台１と可動側取付け台２に作動軸９を支持し、その作動軸の螺子部９ｃに螺合部材１１を螺合する具体的構造について説明する。
前記固定側取付け台１の上面中央部には、一端寄りに作動軸９を挿通する支持孔１３を有する第１支持板１２が固設されている。実施形態では、この第１支持板１２の背面に四角形の枠体１５が一体に形成され、該枠体１５の背面をばね受け壁１６とし、その第１支持板１２に作動軸９を挿通する支持孔１３、ばね受け壁１６に支持孔１３と同一軸線上に作動軸を挿通しうる逆Ｕ型孔１７が設けられている。
前記可動側取付け台２の上面中央部には、前記支持板１２の支持孔１３と同一軸線に作動軸９を挿通する支持孔１９を有する第２支持板１８が固設され、かつ第２支持板１８の背面に該第２支持板と同一軸線に前記作動軸９の螺子部９ｃを螺合する螺合部材１１が前記可動側取付け台に回転方向に固定的に設けられかつ軸方向に協動可能に設けられる。
螺合部材１１を可動側取付け台に回転方向に固定的に設けられかつ軸方向に協動可能に設ける構造として、該第２支持板１８の背面に螺合部材１１の外径とほぼ同じ間隔をおいて枠板２０が設けられると共に第２支持板１８との間に螺合部材１１の厚みに相当する間隔を存して保持部２１が枠板２０側から対向して突設され、螺合部材１１が第２支持板１８と保持部２１間に入られて両側の枠板２０間に回転方向に固定的に備えられ、軸方向に協動可能に設けられている。螺合部材１１は、前記第１支持板１２、第２支持板１８の支持孔１３、１９と同一軸線に螺孔１１ａが位置して、作動軸の螺子部９ｃが螺合される。前記螺合部材１１としてはナットが使用される。枠板２０は６角ナット１１の外径である両面とほぼ合致する幅とされ、第２支持板１８と保持部２１との間隔はナット１１の厚みと合致する間隔とし、予めナット１１を第２支持板１８と枠板２０と保持部２１内にはめて回転方向と軸方向に固定的に備え、作動軸９の螺子部９ｃを螺合させた構造とする。枠板２０に突設した保持部２１間には作動軸９の螺子部９ｃを挿通する間隔をあけてある。
前記固定側取付け台１には螺子部９ｃを有する作動軸９を第１支持板１２の支持孔１３に回転方向に自由に軸支しかつ軸方向の移動を受止めて軸支し、かつ前記可動側取付け台２の第２支持板１８の支持孔１９に軸支し、作動軸９の螺子部９ｃを螺合部材１１に螺合してある。而して、作動軸９が回転されると、螺子部９ｃの作用によりナット１１が軸方向へ移動され、軸方向へ移動する力で第２支持板１８と保持部２１が軸方向に移動され、この支持板と保持板が固定されている可動側取付け台２が軸方向に摺動される。
【００２３】
２２は前記第１支持板１１と第２支持板１６との間に離反方向に付勢する付勢手段、例えば、ばねを用い、ばね２２が第１支持板１２のばね受け壁１６と第２支持板１８との間で作動軸９の回りに装着されている。ばね２２は取付け台１、２に接触しない径とする。
第１支持板１２と第２支持板１８との間にばね２２を装着したことにより、操作部を回して締め付けるときには、ばね２２の圧力に抗して締付けられるので、締付け位置ではばね２２の付勢力が第１支持板１２と第２支持板１８を常時離反する方向に働き、締め付けた螺子が振動等で緩むのを阻止できる。従って操作部を回して第１支持板１２と第２支持板１８を接近させて、固定側と可動側の取付け台の掛止部を挟持させるとき、ばねの弾発力で荷台の挟持が緩むことなく保持できる。
【００２４】
この発明の荷台用着脱式荷籠取付け装置を自転車の荷台に取付けて使用する場合を説明する。
図１ないし図１０に示すように、操作部９ａを例えば反時計方向に回して作動軸９を回転させ、その螺子部９ｃの回転でそれに螺合されているナット１１を軸方向で離反する方向に移動させ、固定側取付け台１の掛止部４と、対向する可動側取付け台２の掛止部５との間隔を荷台Ｂの幅より広げて跨がせて嵌める。しかる後、操作部９ａを時計方向に回して螺子部の作用でナット１１をばね２２に抗して引き寄せる方向に移動させて、固定側取付け台に対して可動側取付け台を引き寄せて第１掛止部と第２掛止部で荷台を挟持させる。作動軸９はばね２２に抗して締め付けるので、締付け後はばねの付勢力により第１支持板１２と第２支持板１８が離間する方向に押圧され、振動等で螺子が緩むことなく保持される。
荷籠を使用しないとき、或いは手提げ籠として使用する場合には、前記のように操作部を反時計方向に回して、掛止部の間隔を広げて取付け台ごと取外す。従って、自転車の荷台に荷籠取付け装置を残さないので、自転車だけで使用することができて、体裁が良く、また、子供等を荷台に載せることができる。
【００２５】
なお、この発明の荷台用着脱式荷籠取付け装置は、操作部で荷台に固定側取付け台と可動側取付け台を挟持させて取付けるが、他人が操作部を操作して荷籠を取付け台ごと取り外して盗すむのを防ぐために、例えば、荷籠に設けた穴等と荷台とに別の施錠手段のワイヤー、鎖等を掛けて施錠することが望ましい。
【００２６】
以上この発明の実施の形態の一例について説明したが、この発明はこうした実施の形態に何ら限定されるものではなく、この発明の要旨を逸脱しない範囲において種々なる態様で実施しうることは勿論である。
【図面の簡単な説明】
【００２７】
【図１】この発明の自転車等の荷台用着脱式荷籠取付け装置を示す平面図である。
【図２】同底面図である。
【図３】同一部破断側面図である。
【図４】同一部破断正面図である。
【図５】固定側と可動側取付け台を接近状態の平面図である。
【図６】同一部破断側面図である。
【図７】自転車の荷台にこの発明の荷台用着脱式荷籠取付け装置の掛止部を開いて置いた状態の平面図である。
【図８】同掛止部を締め付け固定した状態の断面図である。
【図９】同平面図である。
【図１０】同一部破断正面図である。
【符号の説明】
【００２８】
１  固定側取付け台
２  可動側取付け台
３  荷籠取付け部
４  第１掛止部
５  第２掛止部
６  ガイド手段（凸部）
７  操作手段
８  取付け台締付け構造
９  作動軸
９ａ  操作部
９ｃ  螺子部
１０  進退手段
１１  螺合部材（ナット）
１２  第１支持板
１３  支持孔
１４  受止め部材
１６  ばね受け壁
１８  第２支持板
１９  支持孔
２１  保持部
２２  ばね
２５  据え付け部
２６  取付け孔
３０  外枠
３１  内枠
Ａ  荷籠
Ｂ  荷台
【図１】
2006088795.tif 000003
【図２】
2006088795.tif 000004
【図３】
2006088795.tif 000005
【図４】
2006088795.tif 000006
【図５】
2006088795.tif 000007
【図６】
2006088795.tif 000008
【図７】
2006088795.tif 000009
【図８】
2006088795.tif 000010
【図９】
2006088795.tif 000011
【図１０】
2006088795.tif 000012